(57)【要約】【課題】  他人を撮影する状況および自分を撮影する状況の両状況において、顔認証画像の撮影をより適切に行うことが可能な撮像装置を提供する。【解決手段】  デジタルカメラ１の液晶表示部は、本体部に対して可動であり、その表示画面の向きを変更することが可能である。デジタルカメラ１は、顔認証用画像撮影用の撮影モードが設定されている場合には、表示画面の向きに関する検知結果に応じて（ステップＳＰ６）顔認証画像撮影用の補助指標を決定して表示画面に表示させる（ステップＳＰ１３，ＳＰ１４）。【選択図】図６
2007013768.tif 000002
【特許請求の範囲】
【請求項１】
撮像装置であって、
本体部と、
前記本体部に対して可動であり、その表示画面の向きを変更することが可能な表示部と、
前記表示画面の向きを検知する検知手段と、
前記検知手段によって検知された前記表示画面の向きに応じて顔認証画像撮影用の補助指標を決定し、決定された当該補助指標を前記表示画面に表示させる表示制御手段と、
を備えることを特徴とする撮像装置。
【請求項２】
請求項１に記載の撮像装置において、
前記表示制御手段は、前記表示画面が反被写体側を向いているときには、前記補助指標とともにライブビュー画像を、前記表示画面に表示させることを特徴とする撮像装置。
【請求項３】
請求項１または請求項２に記載の撮像装置において、
前記表示制御手段は、前記表示画面が被写体側を向いているときには、ライブビュー画像をそのまま前記表示画面に表示させるのではなく、ライブビュー画像から抽出した被写体の状態を示す図形を前記補助指標とともに前記表示画面に表示させることを特徴とする撮像装置。
【請求項４】
請求項１から請求項３のいずれかに記載の撮像装置において、
前記表示制御手段は、前記表示画面が反被写体側を向いているときには、人物形状図形を前記補助指標として前記表示画面に表示させることを特徴とする撮像装置。
【請求項５】
請求項１から請求項４のいずれかに記載の撮像装置において、
前記表示制御手段は、前記表示画面が被写体側を向いているときには、前記表示画面が反被写体側を向いているときに比べて単純な図形を、前記補助指標として前記表示画面に表示させることを特徴とする撮像装置。
【請求項６】
請求項１から請求項５のいずれかに記載の撮像装置において、
構図における被写体と前記補助指標とのずれを検出するずれ検出手段、
をさらに備え、
前記表示制御手段は、前記ずれ検出手段によって検出されたずれを低減させるための動作を示唆する表示をも前記表示画面に表示させることを特徴とする撮像装置。
【発明の詳細な説明】
【技術分野】
【０００１】
本発明は、デジタルカメラなどの撮像装置に関し、特に顔認証用画像の撮影に適した撮像装置に関する。
【背景技術】
【０００２】
近年、ネットワーク技術等の発展によって電子化された様々なサービスが普及し、人に頼らない非対面での本人認証技術の必要性が高まっている。これに伴い、人物の生体特徴によって自動的に個人の識別を行うバイオメトリクス認証技術（生体認証技術）の研究が盛んに行われている。バイオメトリクス認証技術の一つである顔認証技術は、非接触型の認証方法であり、監視カメラによるセキュリティ或いは顔をキーとした画像データベース検索等、様々な分野での応用が期待されている。
【０００３】
上述の顔認証はコンピュータによって行われるため、顔認証に用いられる顔認証用写真には、コンピュータの認証動作に影響を及ぼさない精度で撮影されたものを用いる必要がある。そのため、認証動作に影響を及ぼさない写真を得るためには、顔画像を適切な構図で撮影することが求められる。特に、専門のカメラ店で撮影してもらうのではなく、家庭あるいはオフィス等でカメラを用いて顔認証用の画像を撮影する場合には、顔画像を適切な構図で撮影することは容易ではない。
【０００４】
このような顔画像の撮影技術としては、たとえば特許文献１の技術が存在する。特許文献１では、顔画像撮影時に目の標準位置をライブビュー画像に重畳して表示する技術が記載されている。
【０００５】
【特許文献１】特開２００３−３１７１００号公報
【発明の開示】
【発明が解決しようとする課題】
【０００６】
ところで、顔認証用画像の撮影に際しては、被写体となる被撮影者と撮影者とが同一人物である状況と、別人物である状況とが存在する。換言すれば、撮影者が他人を撮影する状況と自分を撮影する状況とが存在する。
【０００７】
しかしながら、上記の顔認証用画像の撮影技術においては、被写体となる被撮影者と撮影者とが別人物である状況（すなわち撮影者が他人を撮影する状況）のみが想定されており、上記両方の状況に適切に対応できないことがある。
【０００８】
そこで、この発明の課題は、他人を撮影する状況および自分を撮影する状況の両状況において、顔認証画像の撮影をより適切に行うことが可能な撮像装置を提供することにある。
【課題を解決するための手段】
【０００９】
上記課題を解決すべく、請求項１の発明は、撮像装置であって、本体部と、前記本体部に対して可動であり、その表示画面の向きを変更することが可能な表示部と、前記表示画面の向きを検知する検知手段と、前記検知手段によって検知された前記表示画面の向きに応じて顔認証画像撮影用の補助指標を決定し、決定された当該補助指標を前記表示画面に表示させる表示制御手段とを備えることを特徴とする。
【００１０】
請求項２の発明は、請求項１の発明に係る撮像装置において、前記表示制御手段は、前記表示画面が反被写体側を向いているときには、前記補助指標とともにライブビュー画像を、前記表示画面に表示させることを特徴とする。
【００１１】
請求項３の発明は、請求項１または請求項２の発明に係る撮像装置において、前記表示制御手段は、前記表示画面が被写体側を向いているときには、ライブビュー画像をそのまま前記表示画面に表示させるのではなく、ライブビュー画像から抽出した被写体の状態を示す図形を前記補助指標とともに前記表示画面に表示させることを特徴とする。
【００１２】
請求項４の発明は、請求項１から請求項３のいずれかの発明に係る撮像装置において、前記表示制御手段は、前記表示画面が反被写体側を向いているときには、人物形状図形を前記補助指標として前記表示画面に表示させることを特徴とする。
【００１３】
請求項５の発明は、請求項１から請求項４のいずれかの発明に係る撮像装置において、前記表示制御手段は、前記表示画面が被写体側を向いているときには、前記表示画面が反被写体側を向いているときに比べて単純な図形を、前記補助指標として前記表示画面に表示させることを特徴とする。
【００１４】
請求項６の発明は、請求項１から請求項５のいずれかの発明に係る撮像装置において、構図における被写体と前記補助指標とのずれを検出するずれ検出手段、をさらに備え、前記表示制御手段は、前記ずれ検出手段によって検出されたずれを低減させるための動作を示唆する表示をも前記表示画面に表示させることを特徴とする。
【発明の効果】
【００１５】
請求項１から請求項６に記載の発明によれば、検知手段によって検知された表示画面の向きに応じて顔認証画像撮影用の補助指標が決定され表示画面に表示されるので、他人を撮影する状況および自分を撮影する状況の両状況のそれぞれに適した補助指標を用いて、より適切な撮影を行うことが可能である。
【００１６】
また、請求項２に記載の発明によれば、表示画面が反被写体側を向いているときには、ライブビュー画像を表示することによって、被写体と補助指標とのずれ具合をより詳細に把握することができる。
【００１７】
また、請求項３に記載の発明によれば、表示画面が被写体側を向いているときには、ライブビュー画像をそのまま表示画面に表示させるのではなく、ライブビュー画像から抽出した被写体の状態を示す図形を補助指標とともに表示画面に表示させるので、雑多な情報が含まれるライブビュー画像をそのまま表示する場合に比べて、視認性が高まり現在の被写体の状態を容易に把握することができる。
【００１８】
また、請求項４に記載の発明によれば、表示画面が反被写体側を向いているときには、人物形状図形を補助指標として表示画面に表示させることによって、直感的に判りやすい表示を行うことができる。
【００１９】
また、請求項５に記載の発明によれば、表示画面が被写体側を向いているときには、表示画面が反被写体側を向いているときに比べて単純な図形を、補助指標として表示画面に表示させることによって、視認性を向上させることができる。
【００２０】
また、請求項６に記載の発明によれば、ずれを低減させるための動作を示唆する表示がなされるので、対応策が判りやすい。
【発明を実施するための最良の形態】
【００２１】
以下、本発明の実施形態を図面に基づいて説明する。以下では、撮像装置の一例としてデジタルカメラを例示する。
【００２２】
＜１．構成＞
＜構成概要＞
図１はこの実施形態に係るデジタルカメラ１を示す斜視図である。また、図２はデジタルカメラ１の背面側の構成を示す図である。
【００２３】
図１に示すように、デジタルカメラ１の前面側には、撮影レンズ１１とフラッシュ発光部１２とリモコン受光部６とが設けられている。撮影レンズ１１の内側には撮影レンズ１１から得られる被写体像を光電変換するための撮像手段としてＣＣＤ撮像素子４０が設けられている。
【００２４】
また、デジタルカメラ１の上面側には、レリーズボタン（シャッタボタンとも称する）８と、光学ズームを行うためのズームレバー５と、カメラ状態表示器１３と、撮影条件設定スイッチ１４とが配置されている。レリーズボタン８は被写体像の撮影を行うときにユーザが押し込み操作するボタンである。レリーズボタン８は、半押し状態Ｓ１と全押し状態Ｓ２とを検出することが可能な２段階スイッチになっている。また、ズームレバー５は拡大ボタン（左ボタン）５ａと縮小ボタン（右ボタン）５ｂとの２つのボタンを備えて構成され、ユーザが拡大ボタン５ａ又は縮小ボタン５ｂのいずれか一方を操作することにより、ＣＣＤ撮像素子４０に結像される被写体像の大きさを光学的に変更することができるように構成されている。
【００２５】
カメラ状態表示器１３は例えばセグメント表示タイプの液晶表示器によって構成され、デジタルカメラ１における現在の設定内容等をユーザに示すために設けられている。また、撮影条件設定スイッチ１４はデジタルカメラ１における動作モードを「撮影モード」や「再生モード」等への切り替え設定を手動操作で行うためのスイッチである。
【００２６】
撮影モードにおけるサブモードとしては、近距離の被写体を撮影するのに適した撮影パラメータを設定するマクロモードと、人物撮影等の通常の撮影に適した撮影パラメータを設定する人物モードと、動作の早い被写体を撮影するのに適した撮影パラメータを設定するスポーツモードとがあり、これらの設定も撮影条件設定スイッチ１４によって手動設定可能となっている。また、後述するように、撮影モードにおけるサブモードとしては、これらのモード（マクロモード、人物モード及びスポーツモード等）に加えて、顔認証撮影モードも存在する。顔認証撮影モードは、顔認証撮影モード設定部１８によって設定される。顔認証撮影モードについては後述する。
【００２７】
また、デジタルカメラ１の側面部には画像データ等を記録するための記録メディアであるメモリカード９を装着する装着部１５が形成されており、交換可能なメモリカード９を装着することができる。
【００２８】
また、デジタルカメラ１の背面側には、液晶表示部３が設けられている。液晶表示部３は、複数の画素を有し任意の画像を表示することが可能な表示画面１７を有している。液晶表示部３の表示画面１７にはＣＣＤ撮像素子４０で得られた画像を表示することができるとともに、他の任意の画像を表示することができる。
【００２９】
したがって、デジタルカメラ１を使用して被写体を撮影する場合、被写体像を逐次光電変換して得られれる画像を液晶表示部３に対して表示するいわゆるライブビュー表示によって被写体を確認することができる。
【００３０】
液晶表示部３は、ヒンジ４を介してデジタルカメラ１の本体ＢＤに対して回動可能に取り付けられており、デジタルカメラ１の本体ＢＤに対して可動である。より具体的には、液晶表示部３は、デジタルカメラ１の背面に接するように折り畳まれた状態ＳＡ（図２参照）と、当該状態ＳＡからヒンジ４の回転軸を中心に約１８０度回転しデジタルカメラ１の背面から離れた状態ＳＢ（図３参照）との２つの状態相互間で遷移する。状態ＳＡは、液晶表示部３の表示画面１７が被写体とは反対側（以下、「反被写体側」とも称する）を向いている状態（図２参照）であるとも表現される。また、状態ＳＢは、液晶表示部３の表示画面１７が被写体側を向いている状態（図３参照）であるとも表現される。状態ＳＡは撮影者が他人を撮影する際（ノーマル撮影）に利用され、状態ＳＢは撮影者が自分自身を撮影する際（セルフ撮影）に利用される。なお、状態ＳＡは「表示画面１７がカメラに対して後方向きの状態」とも表現され、状態ＳＢは「表示画面１７がカメラに対して前方向きの状態」とも表現される。
【００３１】
図３に示すように、デジタルカメラ１背面側には、上記の各状態ＳＡ，ＳＢを検知するための検知器７が設けられている。検知器７は、押下式スイッチによって構成されており、押下式スイッチの先端部が液晶表示部３の背面に当接することによって押下式スイッチが押下された状態（押下状態）ＴＡと、液晶表示部３がデジタルカメラの背面から離れることによって押下が解除された状態（押下解除状態）ＴＢとの２つの状態を検知する。この実施形態では、デジタルカメラ１は、検知器７による検知結果に応じて、液晶表示部３の状態（換言すれば、表示画面１７の向き）を検知する。具体的には、デジタルカメラ１は、検知器７が押下状態ＴＡを有するときに液晶表示部３が状態ＳＡ（すなわち表示画面１７が反被写体側を向いている状態（図２参照））を有しているとみなし、検知器７が押下解除状態ＴＢを有するときに液晶表示部３が状態ＳＢ（すなわち表示画面１７が被写体側を向いている状態（図３参照））を有しているとみなす。
【００３２】
また、図４に示すように、このデジタルカメラ１は、リモートコントローラ（以下、「リモコン」とも称する）２０からの信号をリモコン受光部６で受信して撮影動作を行うことが可能である。リモコン２０は、レリーズボタン２１と拡大ボタン２２ａと縮小ボタン２２ｂとを有している。リモコン２０のレリーズボタン２１は本体側に設けられたレリーズボタン８と同等の機能を有する。同様に、拡大ボタン２２ａは拡大ボタン５ａと同等の機能を有し、縮小ボタン２２ｂは縮小ボタン５ｂと同等の機能を有する。
【００３３】
自分を自ら撮影する場合（セルフ撮影時）には、当該デジタルカメラ１を三脚等で固定しておき、当該デジタルカメラ１から所定距離離れた位置に撮影者が着座した状態（あるいは起立した状態）で、当該撮影者がリモコン２０を操作することなどによって自分自身の顔画像を撮影することが可能になる。また、液晶表示部３を状態ＳＢ（図３参照）にしておくことによって、液晶表示部３の表示画面１７に表示される撮影補助指標等（後述）を参照することができる。
【００３４】
一方、撮影者が他人を撮影する場合（ノーマル撮影時）には、状態ＳＡを有する液晶表示部３の表示画面１７を見ながら、デジタルカメラ１の本体に設けられた各種のボタン類（レリーズボタン８、ズームレバー５等）を用いた種々の操作を行うことによって、当該他人の顔画像を撮影することができる。
【００３５】
＜内部構成＞
次に、デジタルカメラ１の内部構成について説明する。図５はデジタルカメラ１の内部構成を示すブロック図である。
【００３６】
図５に示すように、撮影光学系３０が撮影レンズ３５と絞り板３６とを備えており、撮影光学系３０は被写体像をＣＣＤ撮像素子４０に導くように構成される。撮影レンズ３５はレンズ駆動部４７によって駆動され、ＣＣＤ撮像素子４０に結像される被写体像の倍率を可変することが可能である。また、絞り板３６も絞り駆動部４６によって駆動され、絞り板３６の絞り状態（開口径）を可変することが可能である。なお、絞り駆動部４６及びレンズ駆動部４７はマイクロコンピュータ５０から与えられる制御信号に基づいて絞り板３６及び撮影レンズ３５を駆動するように構成されている。
【００３７】
ＣＣＤ撮像素子４０は、光軸Ｌに垂直な面に複数の画素を有する撮像手段であり、光学系により結像された被写体像を、Ｒ（赤），Ｇ（緑），Ｂ（青）の色成分の画像信号（各画素で受光された画素信号の信号列からなる信号）に光電変換して出力する。ＣＣＤ撮像素子４０はタイミングジェネレータ４５によってシャッタースピードに相当する電荷蓄積時間（具体的には露光開始タイミング及び露光終了タイミング）が制御されることにより、被写体の撮影が行われる。また、ＣＣＤ撮像素子４０は、露光によって蓄積された電荷の出力タイミング等がタイミングジェネレータ４５によって制御される。
【００３８】
タイミングジェネレータ４５は、マイクロコンピュータ５０からの基準クロックに基づき、上記のようなＣＣＤ撮像素子４０対する駆動制御信号を生成するものである。
【００３９】
アナログ信号処理回路４１は、ＣＣＤ撮像素子４０から得られる画像信号（アナログ信号）に所定のアナログ信号処理を施すものである。アナログ信号処理回路４１は、ゲイン調整手段として機能するＡＧＣ（オートゲインコントロール）回路４１ａを備えており、マイクロコンピュータ５０がＡＧＣ回路４１ａのゲインを調整することにより画像信号のレベル調整を行なうことができるように構成される。なお、アナログ信号処理回路４１には、画像信号のノイズの低減を行うためのＣＤＳ（相関二重サンプリング）回路等も設けられる。
【００４０】
Ａ／Ｄ変換器４３は、アナログ信号処理回路４１から得られる画像信号の各画素信号を例えば１０ビットのデジタル信号に変換するものである。Ａ／Ｄ変換器４３は、図示しないＡ／Ｄクロック発生回路から入力されるＡ／Ｄ変換用のクロックに基づいて各画素信号（アナログ信号）を所定ビット数のデジタル信号に変換する。
【００４１】
画像メモリ４４は、デジタル信号化された画像データを記憶するメモリである。画像メモリ４４は、１フレーム分の記憶容量を有している。
【００４２】
マイクロコンピュータ５０は内部にプログラムや変数等を格納するＲＡＭ及びＲＯＭを備え、予め格納されたプログラムを実行することにより、種々の機能を実現する。例えば、マイクロコンピュータ５０は、液晶表示部３における表示内容を制御する表示制御部５１、種々の画像処理（ホワイトバランス調整やγ補正等）を施す画像処理部５２、撮影画像をメモリカード９に記録する画像記録制御部５３、および、撮影画像中における被写体像と顔画像撮影用指標（後述）とのずれを検出するずれ検出部５４等として機能する。
【００４３】
マイクロコンピュータ５０は液晶表示部３における表示画像を任意の画像に制御することができ、またカードドライバ４９に対してアクセスすることも可能であり、メモリカード９との間でデータの入出力を行うことができる。さらにデジタルカメラ１にはメモリ４８が設けられており、マイクロコンピュータ５０がメモリカード９等から入力したデータをメモリ４８に格納することで保存することができる。
【００４４】
また、マイクロコンピュータ５０は、リモコン用インターフェイス１６を介して、リモコン受光部６で受信したリモコン２０からの光信号を解析して入力し、当該光信号に応じた処理を実行することができる。
【００４５】
操作入力部６０は、上述したレリーズボタン８、顔認証撮影モード設定部１８、及びその他の操作部を含む操作入力手段であり、ユーザによって入力される操作情報は操作入力部６０からマイクロコンピュータ５０に与えられる。この結果、マイクロコンピュータ５０はユーザによる操作に応じた処理を行うことができる。
【００４６】
＜顔認証撮影モード＞
上述したように、このデジタルカメラ１には、顔認証用画像を撮影するための撮影モードである顔認証撮影モードが設けられている。顔認証撮影モードのサブモードとしては、（１）撮影者が他人の顔画像を撮影するノーマルモードと、（２）撮影者が自分自身の顔画像を撮影するセルフモードと、（３）ノーマルモードとセルフモードとをデジタルカメラ１が自動的に切り替えるオートモードとが存在する。
【００４７】
再び図２を参照する。デジタルカメラ１の背面側には、顔認証用の画像を撮影するモードである顔認証撮影モードを設定する顔認証撮影モード設定部１８が設けられている。
【００４８】
また、顔認証撮影モード設定部１８にはモードスイッチ１８ａが設けられている。ユーザはモードスイッチ１８ａを４段階の位置Ｐ１〜Ｐ４のいずれかに設定することができる。
【００４９】
モードスイッチ１８ａが最下段の位置Ｐ１に設定されると、顔認証撮影モードがオフ状態となり、顔認証撮影モード以外の通常の撮影モード（スポーツモード等）になる。
【００５０】
モードスイッチ１８ａが位置Ｐ２〜Ｐ４のいずれかに設定された場合は顔認証撮影モードがオン状態になる。具体的には、モードスイッチ１８ａが最下段位置Ｐ１の直上位置Ｐ２（ノーマル（NORMAL））に設定された場合には、ノーマルモードに設定され、他人の顔認証用画像の撮影に適した表示内容が表示画面１７に表示される。また、モードスイッチ１８ａが位置Ｐ２の直上位置Ｐ３（セルフ（SELF））に設定された場合には、セルフモードに設定され、自分自身の顔認証用画像の撮影に適した表示内容が表示画面１７に表示される。このように、モードスイッチ１８ａを位置Ｐ２，Ｐ３のいずれかに設定することによれば、撮影者の意図に則して、実際の撮影状態に則したモード（ノーマルモード／セルフモード）をより確実に設定することができる。なお、モードスイッチ１８ａを実際の撮影状態と異なるモード（「ノーマル」または「セルフ」）に設定すれば、実際の撮影状態と異なる状態に対応する表示内容を操作者の選択によって強制的に表示させることもできる。
【００５１】
また、モードスイッチ１８ａが最上段位置Ｐ４（オート（AUTO））に設定された場合には、上記の検知器７（図３）による検知結果（すなわち表示画面１７の向き）に応じて、ノーマルモードとセルフモードとのいずれかが自動的に選択され、その撮影状態に適した表示内容（顔認証画像撮影用の補助指標（後述）等を含む）が変更（決定）される。そして、決定された当該補助指標等が表示画面に表示される。具体的には、表示画面１７が反被写体側を向いていることが検知されるときには、ノーマルモードが選択され、ノーマル撮影用の表示内容（ノーマル用指標ＭＡ（後述）等を含む）が表示画面１７に表示される。また、表示画面１７が被写体側を向いていることが検知されるときには、セルフモードが選択され、セルフ撮影用の表示内容（セルフ用指標ＭＢ（後述）等を含む）が表示画面１７に表示される。
【００５２】
ここにおいて、モードスイッチ１８ａを「オート」に設定しておけば、デジタルカメラ１によって撮影状態（ノーマル撮影か或いはセルフ撮影か）が自動的に適切に判断され、当該撮影状態に応じた適宜の顔認証画像撮影用の補助指標（撮影補助指標とも称する）等が表示される。そのため、非常に利便性が高い。
【００５３】
＜２．動作＞
＜動作概要＞
次に、デジタルカメラ１の動作について図６〜図８等を参照しながら説明する。図６および図７はデジタルカメラ１の主な動作を示すフローチャートであり、図８はその一部動作（ステップＳＰ３０）の詳細を示すフローチャートである。
【００５４】
まず、撮影モードか否か（ステップＳＰ１）が判断され、撮影モードであるときにはさらに顔認識撮影モードであるか否か（ステップＳＰ２）が判断される。撮影モードでないとき（すなわち再生モードであるとき）には、ステップＳＰ３に進み再生動作が行われる。撮影モードではあるが顔認識撮影モードではないときには、ステップＳＰ４に進み通常のプレビュー動作（ライブビュー動作）を伴って、各撮影サブモード（マクロモード、人物モード、スポーツモード）に応じた撮影動作が行われる。また、顔認証撮影モードであるときにはステップＳＰ５に進む。
【００５５】
ステップＳＰ５においては、モードスイッチ１８ａによるモード設定が「ノーマル」、「セルフ」、「オート」のいずれに設定されているかが判定される。
【００５６】
モードスイッチ１８ａが「ノーマル」に設定されている場合には、表示画面１７における撮影補助指標がノーマル用指標に決定される（ステップＳＰ１１）。
【００５７】
モードスイッチ１８ａが「セルフ」に設定されている場合には、表示画面１７における撮影補助指標がセルフ用指標に決定される（ステップＳＰ１２）。
【００５８】
また、モードスイッチ１８ａが「オート」に設定されている場合には、さらに表示画面１７が被写体側を向いている状態ＳＡか或いは反被写体側を向いている状態ＳＢかが判定される（ステップＳＰ６）。そして、状態ＳＡであると判定されるときには、ノーマル撮影状態であると判定され、ノーマルモードと同様の処理が行われる。具体的には、表示画面１７における撮影補助指標がノーマル用指標に決定される（ステップＳＰ１３）。一方、状態ＳＢであると判定されるときには、セルフ撮影状態であると判定され、セルフモードと同様の処理が行われる。具体的には、表示画面１７における撮影補助指標がセルフ用指標に決定される（ステップＳＰ１４）。
【００５９】
図９は、ノーマル用指標ＭＡを表す図である。図９に示されるように、ここではノーマル用指標ＭＡとして人物形状図形（詳細には人物の顔および肩等の輪郭を模した図形）を用いる。ノーマル撮影における構図決定段階においては、ノーマル用指標ＭＡが表示画面１７に表示される。撮影者は、表示画面１７にライブビュー表示された被写体人物の顔の位置および大きさ等をノーマル用指標ＭＡに合わせることによって、顔認証用画像に適した構図を決定することができる。なお、ノーマル撮影時はデジタルカメラ１に比較的近い位置から表示画面１７を見ることになるため、図９のような詳細な画像を撮影補助指標として用いることによって、直感的に判りやすい表示を行うことが好ましい。
【００６０】
また、図１０はセルフ用指標ＭＢを表す図である。図１０に示されるように、ここではセルフ用指標ＭＢとして、ノーマル用指標ＭＡよりも単純な図形（具体的には円）を用いる。セルフ撮影における構図決定段階においては、セルフ用指標ＭＢが表示画面１７に表示される。撮影者は、表示画面１７に表示された自分自身の顔の位置および大きさ等をセルフ用指標ＭＢに合わせることによって、顔認証用画像に適した構図を決定することができる。なお、セルフ撮影時はデジタルカメラ１から比較的離れた位置から表示画面１７を見ることになるため、画面が比較的小さく見える。このような場合においても、図１０のような簡易な（単純な）画像を用いることによって、補助指標が見にくくならないように工夫している。
【００６１】
つぎに、ステップＳＰ２１（図７）以降において、ライブビュー画像等に基づく構図決定が行われる。
【００６２】
具体的には、まず、ステップＳＰ２１において、ライブビュー用に撮影された画像から顔領域を抽出するとともに、当該顔領域の位置および大きさ等を検出する。詳細には、パターンマッチングおよび／または肌色領域の抽出処理等の適宜の画像処理を施すことによって、顔領域を抽出すること、ならびに顔の位置および大きさを取得することができる。また、顔の各部位（目、口、鼻、耳等）の位置および大きさ等をも取得することができる。さらには、耳の見え方、および／または、両目と鼻との位置関係等に基づいて、顔の向き（左右方向の傾き）をも取得することができる。
【００６３】
つぎに、ステップＳＰ２２において、構図（ライブビュー画像）内での顔の実際の位置、大きさおよび向き（姿勢）と、顔の標準位置、標準大きさおよび標準姿勢とをそれぞれ比較し、被写体人物の顔の実際の位置等が標準位置等から許容範囲内に存在するか否かを判定する。ここで、顔の標準位置、標準大きさおよび標準姿勢としては、顔認証画像に要求される基準値をそれぞれ用いればよい。
【００６４】
構図内での被写体の実際位置等と標準位置等との差が許容範囲内に収まっているときには「ずれ」が存在しないと判定し、被写体の実際位置等と標準位置等の差が許容範囲内に収まっていないときには「ずれ」が存在すると判定する。なお、この実施形態においては、「ずれ」として、「位置ずれ」と「大きさずれ」と「向きずれ」との３つの種類のずれを考慮するものとする。
【００６５】
ステップＳＰ２３においては「ずれ」が存在の有無において分岐処理が行われる。
【００６６】
「ずれ」が存在しないと判定されるとステップＳＰ２７に進み、適切な構図が実現されていることを示す「ＯＫ表示」（図１１および図１２）が表示画面１７に表示された後、ステップＳＰ２８に進む。
【００６７】
ステップＳＰ２７においては、「ＯＫ表示」として例えばＯＫマークＭＺが表示される。詳細には、ノーマルモード時には、図１１に示すように、表示画面１７において、ライブビュー画像の上にノーマル用指標ＭＡとＯＫマークＭＺとが重畳された合成画像が表示される。また、セルフモード時には、図１２に示すように、表示画面１７において、実際の被写体位置および大きさ等を示す円状のマーク（抽象化図形）ＭＣと、セルフ用指標ＭＢとに加えて、ＯＫマークＭＺがさらに合成された合成画像が表示される。抽象化図形ＭＣについては後述する。なお、これに限定されず、指標ＭＡ，ＭＢを点滅させることによって「ずれ」が存在しないことを報知するようにしてもよい。
【００６８】
一方、「ずれ」が存在すると判定されると位置修正用表示（ステップＳＰ３０）が行われる。ステップＳＰ３０については後述する。
【００６９】
ステップＳＰ３０の後、新たに取得されたライブビュー画像に関して、顔領域等の再検出処理（ステップＳＰ２４）、および構図における顔の実際位置等と標準位置等との再比較処理（ステップＳＰ２５）が行われる。ステップＳＰ２４，ＳＰ２５は、それぞれ、ステップＳＰ２２およびステップＳＰ２３と同様の処理である。
【００７０】
そして、「ずれ」が未だ解消していないと判定される場合には再びステップＳＰ３０へ戻った後、ステップＳＰ２４，ＳＰ２５，ＳＰ２６の動作を行う。このような処理は「ずれ」が解消されるまで繰り返される。そのため、「ずれ」が解消されるまで、本撮影画像の露光動作（ステップＳＰ２９）は開始されない。
【００７１】
一方、「ずれ」が解消したと判定されると、「ＯＫ表示処理」（ステップＳＰ２７）が行われ、ステップＳＰ２８に進む。
【００７２】
ステップＳＰ２８においては、レリーズボタン８あるいはレリーズボタン２１が全押し状態Ｓ２にまで押下されたか否かが判定される。全押し状態Ｓ２でない場合には再びステップＳＰ２１に戻り、上述の動作が繰り返される。一方、全押し状態Ｓ２であることが判定されると、ステップＳＰ２９に進み、本撮影画像の露光動作が行われ、顔認証用の画像が撮影される。
【００７３】
＜位置修正用表示動作等＞
つぎに、ステップＳＰ３０の位置修正用表示動作について説明する。
【００７４】
図８に示すように、まず、ステップＳＰ３１，ＳＰ３２において、「ずれ」の種類が「位置ずれ」、「大きさずれ」、および「向きずれ」のいずれであるのかに応じた分岐処理が行われる。
【００７５】
ずれの種類が「位置ずれ」であるときにはさらにそのずれの方向（上下左右）が判定され（ステップＳＰ３３）、当該ずれ方向に応じた動作が行われる。具体的には、構図内での被写体位置が標準位置よりも「上」にずれているときには合成画像Ｄ１が表示画面１７に表示され（ステップＳＰ４１）、構図内での被写体位置が標準位置よりも「下」にずれているときには合成画像Ｄ２が表示画面１７に表示される（ステップＳＰ４２）。また、構図内での被写体位置が標準位置よりも「左」にずれているときには合成画像Ｄ３が表示画面１７に表示され（ステップＳＰ４３）、構図内での被写体位置が標準位置よりも「右」にずれているときには合成画像Ｄ４が表示画面１７に表示される（ステップＳＰ４４）。
【００７６】
また、ずれの種類が「大きさずれ」であるときには、被写体が標準値よりも大きいのかあるいは小さいのかがさらに判定され（ステップＳＰ３４）、その判定結果に応じた動作が行われる。具体的には、構図内での被写体の大きさが標準大きさよりも「小さい」ときには合成画像Ｄ５が表示画面１７に表示され（ステップＳＰ４５）、構図内での被写体の大きさが標準大きさよりも「大きい」ときには合成画像Ｄ６が表示画面１７に表示される（ステップＳＰ４６）。
【００７７】
さらに、ずれの種類が「向きずれ」であるときには、合成画像Ｄ７が表示画面１７に表示される（ステップＳＰ４７）。
【００７８】
ここで、合成画像Ｄ１〜Ｄ７には、それぞれ、ノーマル用指標ＭＡを用いたもの（画像ＤＡ１〜ＤＡ７）とセルフ用指標を用いたもの（画像ＤＢ１〜ＤＢ７）との２種類が存在する。上述のステップＳＰ１１またはステップＳＰ１３において撮影補助指標としてノーマル用指標を用いることが決定された場合（換言すればノーマル撮影状態であると判定された場合）には、合成画像ＤＡ１〜ＤＡ７が用いられる。また、ステップＳＰ１２またはステップＳＰ１４において撮影補助指標としてセルフ用指標を用いることが決定された場合（換言すればノーマル撮影状態であると判定された場合）には合成画像ＤＢ１〜ＤＢ７が用いられる。
【００７９】
まず、ノーマル用指標ＭＡを用いた撮影補助表示について説明する。この場合、合成画像Ｄ１〜Ｄ７（ＤＡ１〜ＤＡ７）は、ライブビュー画像にノーマル用指標ＭＡ（図９）を重畳して合成した画像になる。また、各合成画像には、ずれを低減させるための動作を示唆する内容が表示される。ノーマル撮影時には、表示画面１７が反被写体側を向いており、比較的近い位置から表示画面１７を見ることになるため、ライブビュー画像を重畳表示することによって、被写体と補助指標とのずれ具合をより詳細に把握することができる。
【００８０】
例えば、被写体の顔が標準位置よりも左側にずれている場合には、図１３のような合成画像ＤＡ３（Ｄ３）が表示画面１７に表示される。合成画像ＤＡ３においては、ノーマル用指標ＭＡが標準位置（画面中央）に配置されている一方で、ライブビュー画像における被写体がノーマル用指標ＭＡの左側に存在している様子が示されている。また、合成画像ＤＡ３には「カメラを左に動かしてください」の文字も合成表示されており、ずれを低減させるための動作が示唆されている。撮影者は、このような合成画像ＤＡ３を見て、カメラを左に動かすことによって、顔位置の微調整を図ることができる。
【００８１】
また、被写体の顔が標準位置よりも下側にずれている場合には、図１４のような合成画像ＤＡ２（Ｄ２）が表示画面１７に表示される。合成画像ＤＡ２においては、ノーマル用指標ＭＡが標準位置に配置されている一方で、ライブビュー画像における被写体がノーマル用指標ＭＡの下側に存在している様子が示されている。また、合成画像ＤＡ２には「カメラを下に動かしてください」との文字も合成表示されており、ずれを低減させるための動作が示唆されている。撮影者は、このような合成画像ＤＡ２を見て、カメラを下に動かすことによって、顔位置の微調整を図ることができる。
【００８２】
同様に、被写体の顔が標準位置よりも右側あるいは上側にずれている場合には、合成画像ＤＡ４（Ｄ４），ＤＡ１（Ｄ１）が表示画面１７に表示され、撮影者はこれらの合成画像ＤＡ４，ＤＡ１を見て、被写体の顔位置の微調整を図ることができる。
【００８３】
さらに、被写体の顔の大きさが標準大きさよりも小さい場合には、図１５のような合成画像ＤＡ５（Ｄ５）が表示画面１７に表示される。合成画像ＤＡ５においては、ノーマル用指標ＭＡが標準大きさで表示されている一方で、ライブビュー画像における被写体がノーマル用指標ＭＡよりも小さく写っている様子が示されている。また、合成画像ＤＡ５には「テレ側へズームしてください」との文字も合成表示されており、ずれを低減させるための動作が示唆されている。撮影者は、このような合成画像ＤＡ５を見て、拡大ボタン５ａを押下することによって、顔の大きさの微調整を図ることができる。
【００８４】
また、被写体の顔の大きさが標準大きさよりも大きい場合には、図１６のような合成画像ＤＡ６（Ｄ６）が表示画面１７に表示される。合成画像ＤＡ６においては、ノーマル用指標ＭＡが標準大きさで表示されている一方で、ライブビュー画像における被写体がノーマル用指標ＭＡよりも大きく写っている様子が示されている。また、合成画像ＤＡ６には「ワイド側へズームしてください」との文字も合成表示されており、ずれを低減させるための動作が示唆されている。撮影者は、このような合成画像ＤＡ６を見て、縮小ボタン５ｂを押下することによって、顔の大きさの微調整を図ることができる。
【００８５】
さらに、被写体の顔の向きが標準姿勢（ここでは真正面向き）から所定角度（例えばプラスマイナス５度）よりも大きくずれている場合には、図１７のような合成画像ＤＡ７（Ｄ７）が表示画面１７に表示される。合成画像ＤＡ７においては、ノーマル用指標ＭＡが標準姿勢で表示されている一方で、ライブビュー画像における被写体が横を向いている様子が示されている。また、合成画像ＤＡ７には「こちら（右）を向いてもらってください」との文字も合成表示されており、ずれを低減させるための動作が示唆されている。撮影者は、このような合成画像ＤＡ７を見て、被写体人物に声を掛けて、デジタルカメラ１の方向（被写体人物から見て右）を向いてもらうことができる。
【００８６】
つぎに、セルフ用指標ＭＢを用いた撮影補助表示について説明する。この場合、表示画面１７にはライブビュー画像自体は表示されず、ライブビュー画像から抽出した被写体の状態（より詳細には、被写体の位置、大きさおよび向き）を表現するための抽象化図形（簡易図形）ＭＣと、上述のセルフ用指標ＭＢ（図１０）とを合成した画像が合成画像Ｄ１〜Ｄ７（ＤＢ１〜ＤＢ７）として表示される。セルフ撮影時には、表示画面１７が被写体側を向いており、比較的遠い位置から表示画面１７を見ることになるため、表示画面１７が小さく感じられ見にくくなることがある。これに対して、ライブビュー画像から抽出した被写体の状態を、抽象化した簡易な図形で表現することによれば、雑多な情報が含まれるライブビュー画像をそのまま表示するときに比べて、視認性が高まり現在の被写体の状態を容易に把握することができる。
【００８７】
また、ここでは、表示画面１７において、左右を反転させたライブビュー画像（ミラー画像）内での被写体位置に抽象化図形を表示するものとする。カメラから見た画像の左右を逆転させることによれば、カメラから見た左右とカメラに対向する被写体から見た左右とが反転する現象を解消することができる。そのため、被写体でもある撮影者が構図内での自分自身の位置ずれを直感的に把握することができるので、その位置ずれを容易に調整することが可能である。
【００８８】
例えば、構図内において被写体の顔が標準位置よりも左側にずれている場合には、図１３のような合成画像ＤＢ３（Ｄ３）が表示画面１７に表示される。合成画像ＤＢ３においては、ミラー処理が施されているため、被写体の状態を表現する抽象化図形ＭＣは、セルフ用指標ＭＢよりも右側に配置されている。そのため、このような合成画像ＤＢ３を見た撮影者（被写体でもある）は、被写体が被写体から見て左に動けば位置ずれが解消されることを容易に把握することができる。また、合成画像ＤＡ３には左向きの矢印図形ＡＲ３が合成表示されており、ずれを低減させるための動作が示唆されている。撮影者は、このような合成画像ＤＡ３を見て、自分自身が左に移動することによって、顔位置の微調整を図ることができる。
【００８９】
また、被写体の顔が標準位置よりも下側にずれている場合には、図１９のような合成画像ＤＢ２（Ｄ２）が表示画面１７に表示される。合成画像ＤＢ２においては、被写体の状態を表現する抽象化図形ＭＣが、セルフ用指標ＭＢよりも下側に配置されている。また、合成画像ＤＢ２には上向きの矢印図形ＡＲ２が合成表示されており、ずれを低減させるための動作が示唆されている。撮影者は、このような合成画像ＤＢ２を見て、自分自身の顔を上に移動することによって、顔位置の微調整を図ることができる。
【００９０】
同様に、被写体の顔が標準位置よりも右側あるいは上側にずれている場合には、合成画像ＤＢ４（Ｄ４），ＤＢ１（Ｄ１）が表示画面１７に表示され、撮影者はこれらの合成画像ＤＢ４，ＤＢ１を見て、被写体の顔位置の微調整を図ることができる。
【００９１】
さらに、被写体の顔の大きさが標準大きさよりも小さい場合には、図２０のような合成画像ＤＢ５（Ｄ５）が表示画面１７に表示される。合成画像ＤＢ５においては、被写体の状態を表現する抽象化図形ＭＣが、セルフ用指標ＭＢよりも小さな状態で表示されている。また、合成画像ＤＢ５には（画面中央から外側へ向かう）外向きの４本の矢印図形ＡＲ５が合成表示されており、ずれを低減させるための動作が示唆されている。撮影者は、このような合成画像ＤＢ５を見て、リモコン２０の拡大ボタン２２ａを押下することによって、顔の大きさの微調整を図ることができる。
【００９２】
また、被写体の顔の大きさが標準大きさよりも大きい場合には、図２１のような合成画像ＤＢ６（Ｄ６）が表示画面１７に表示される。合成画像ＤＢ６においては、被写体の状態を表現する抽象化図形ＭＣが、セルフ用指標ＭＢよりも大きな状態で表示されている。また、合成画像ＤＢ６には（画面中央へ向かう）内向きの４本の矢印図形ＡＲ６が合成表示されており、ずれを低減させるための動作が示唆されている。撮影者は、このような合成画像ＤＢ６を見て、リモコン２０の縮小ボタン２２ｂを押下することによって、顔の大きさの微調整を図ることができる。
【００９３】
さらに、被写体の顔の向きが標準姿勢（ここでは真正面向き）から所定角度（例えばプラスマイナス５度）よりも大きくずれている場合には、図２２のような合成画像ＤＢ７（Ｄ７）が表示画面１７に表示される。合成画像ＤＢ７においては、被写体の向きが標準姿勢よりも傾いていることを示すために、被写体の状態を表現する抽象化図形ＭＣがセルフ用指標ＭＢよりも細長い状態で（具体的には、縦長の楕円で）表示されている。また、合成画像ＤＢ７には湾曲した左向き矢印図形ＡＲ７が合成表示されており、ずれを低減させるための動作が示唆されている。撮影者は、このような合成画像ＤＢ７を見て、自分自身の顔を右に向けることによって、顔の姿勢を標準姿勢に近づけることができる。
【００９４】
以上のように、顔画像撮影用の撮影モードが設定されている場合、特にオートモードにおいては、検知器７による検知結果（具体的には、表示画面１７の向き）に応じて顔認証画像撮影用の補助指標として２つの指標ＭＡ，ＭＢのうちのいずれを用いるかが選択され、選択された指標が表示画面１７に表示される（図６のステップＳＰ６，ＳＰ１３，ＳＰ１４参照）。したがって、他人を撮影する状況においては指標ＭＡを用いることによって、そして、自分を撮影する状況においては指標ＭＢを用いることによって、より適切な撮影を行うことが可能である。すなわち、他人を撮影する状況および自分を撮影する状況の両状況のそれぞれに適した補助指標を用いて、より適切な撮影を行うことが可能である。
【００９５】
また、ノーマル撮影時には、補助指標ＭＡとともにライブビュー画像が表示画面１７に表示されるので、被写体と補助指標とのずれ具合をより詳細に把握することができる。また、このとき、人物形状図形を補助指標ＭＡとして表示画面１７に表示させることによって、直感的に判りやすい表示を行うことができる。
【００９６】
さらに、セルフ撮影時には、ライブビュー画像をそのまま表示画面１７に表示させるのではなく、ライブビュー画像から抽出した被写体の状態を示す図形ＭＣを補助指標ＭＢとともに表示画面に表示させるので、雑多な情報が含まれるライブビュー画像をそのまま表示する場合に比べて、視認性が高まり、現在の被写体の状態を容易に把握することができる。また、このとき、比較的単純な図形を補助指標ＭＢとして表示画面に表示させることによって、視認性を向上させることができる。
【００９７】
また、合成画像Ｄ１〜Ｄ７において、ずれを低減させるための動作を示唆する表示が行われるので、対応策が判りやすい。
【００９８】
＜３．変形例＞
以上、この発明の実施の形態について説明したが、この発明は上記説明した内容のものに限定されるものではない。
【００９９】
たとえば、上記実施形態においては、ノーマル用指標ＭＡ（図９）として人物の輪郭を用いる場合を例示したが、これに限定されず、図２３に示すように、人物の顔位置（顔の四隅の位置）ＦＰと目の位置ＥＰとを示すものを用いても良い。あるいは、図２４に示すように、人物の目の位置ＥＰと口の位置ＭＰと耳の位置ＡＰとを示すものを用いてもよい。
【０１００】
また、上記実施形態においては、セルフ用指標ＭＢ（図１０）として円を用いる場合を例示したが、これに限定されず、矩形形状のもの（図２５参照）、あるいは菱形形状のもの（図２６参照）を用いてもよい。
【０１０１】
さらには、セルフ用指標ＭＢの線と抽象化図形ＭＣの線との両線の線種および／または色を互いに異なるものに設定して、両者をより区別しやすいようにしてもよい。例えば、セルフ用指標ＭＢを赤色の実線で示し、抽象化図形ＭＣを黒色の破線で示すようにしてもよい。
【０１０２】
また、ステップＳＰ２４，ＳＰ２５（図７）の再検出処理および再比較処理は、必ずしも全てのライブビュー画像に対して行うことを要さず、一部のライブビュー画像に対してのみ行うようにしてもよい。例えば、１／３０秒間隔で順次に取得されるライブビュー画像のうち、１秒間隔で順次に取得されるライブビュー画像に対してのみこれらの再検出処理および再比較処理等を行うようにしてもよい。
【図面の簡単な説明】
【０１０３】
【図１】デジタルカメラを示す斜視図である。
【図２】デジタルカメラの背面側の構成を示す図である。
【図３】セルフ撮影時におけるデジタルカメラの背面側の様子を示す図である。
【図４】セルフ撮影の様子を示す概略図である。
【図５】デジタルカメラの内部構成を示すブロック図である。
【図６】デジタルカメラの主な動作を示すフローチャートである。
【図７】デジタルカメラの主な動作を示すフローチャートである。
【図８】デジタルカメラの一部動作の詳細を示すフローチャートである。
【図９】ノーマル撮影用の補助指標を示す図である。
【図１０】セルフ撮影用の補助指標を示す図である。
【図１１】ノーマル撮影時の「ＯＫ表示」画面を示す図である。
【図１２】セルフ撮影時の「ＯＫ表示」画面を示す図である。
【図１３】ノーマル撮影時に表示される合成画像を示す図である。
【図１４】ノーマル撮影時に表示される合成画像を示す図である。
【図１５】ノーマル撮影時に表示される合成画像を示す図である。
【図１６】ノーマル撮影時に表示される合成画像を示す図である。
【図１７】ノーマル撮影時に表示される合成画像を示す図である。
【図１８】セルフ撮影時に表示される合成画像を示す図である。
【図１９】セルフ撮影時に表示される合成画像を示す図である。
【図２０】セルフ撮影時に表示される合成画像を示す図である。
【図２１】セルフ撮影時に表示される合成画像を示す図である。
【図２２】セルフ撮影時に表示される合成画像を示す図である。
【図２３】ノーマル撮影用の補助指標の変形例を示す図である。
【図２４】ノーマル撮影用の補助指標の別の変形例を示す図である。
【図２５】セルフ撮影用の補助指標の変形例を示す図である。
【図２６】セルフ撮影用の補助指標の別の変形例を示す図である。
【符号の説明】
【０１０４】
１  デジタルカメラ
３  液晶表示部
４  ヒンジ
７  検知器
１７  表示画面
１８  顔認証撮影モード設定部
１８ａ  モードスイッチ
８，２１  レリーズボタン
２０  リモコン
５ａ，２２ａ  拡大ボタン
５ｂ，２２ｂ  縮小ボタン
ＤＡ１〜ＤＡ７，ＤＢ１〜ＤＢ７  合成画像
ＭＡ  ノーマル用指標
ＭＢ  セルフ用指標
ＭＣ  抽象化図形
【図１】
2007013768.tif 000003
【図２】
2007013768.tif 000004
【図３】
2007013768.tif 000005
【図４】
2007013768.tif 000006
【図５】
2007013768.tif 000007
【図６】
2007013768.tif 000008
【図７】
2007013768.tif 000009
【図８】
2007013768.tif 000010
【図９】
2007013768.tif 000011
【図１０】
2007013768.tif 000012
【図１１】
2007013768.tif 000013
【図１２】
2007013768.tif 000014
【図１３】
2007013768.tif 000015
【図１４】
2007013768.tif 000016
【図１５】
2007013768.tif 000017
【図１６】
2007013768.tif 000018
【図１７】
2007013768.tif 000019
【図１８】
2007013768.tif 000020
【図１９】
2007013768.tif 000021
【図２０】
2007013768.tif 000022
【図２１】
2007013768.tif 000023
【図２２】
2007013768.tif 000024
【図２３】
2007013768.tif 000025
【図２４】
2007013768.tif 000026
【図２５】
2007013768.tif 000027
【図２６】
2007013768.tif 000028